(57)【要約】【課題】商品の入出庫保管作業を効率よく行うことが可能な商品情報管理装置および商品管理システムを得ること。【解決手段】商品倉庫への商品の入庫および出庫に関する情報を管理する商品情報管理装置１０において、各商品購入者からの商品購入の依頼に関する情報、商品供給者へ行う商品の注文に関する情報、商品供給者からの商品の納入に関する情報および商品の入庫および出庫の許容期間に関する情報に基づいて、納入した商品の商品倉庫への入庫または出庫を判断する入出庫判断部１６と、納入した商品の入庫および出庫に関する指示情報を出力する指示情報出力部１７と、を備え、入出庫判断部１６は、商品購入者が商品の納入を許容する日時の許容日時範囲内に商品供給者からの商品を商品購入者へ納入できると判断した場合に商品供給者から納入した商品を入庫させることなく出庫させて商品購入者へ送ると判断する。【選択図】        図２
2006225084.tif 000002
【特許請求の範囲】
【請求項１】
商品倉庫への商品の入庫および出庫に関する情報を管理して、各商品の入庫および出庫に関する指示を行う商品情報管理装置において、
各商品購入者からの商品購入の依頼に関する購入依頼情報を入力する購入依頼情報入力部と、
前記購入依頼情報入力部に入力された購入依頼情報、および前記購入依頼情報に基づいて所定の商品供給者へ行う前記商品の注文に関する注文情報を前記購入依頼情報と対応付けて記憶する受発注情報記憶部と、
前記商品供給者から前記商品を納入する際に、前記商品供給者から送られる前記商品の納入に関する納入情報を入力する納入情報入力部と、
商品の入庫および出庫の許容期間に関する情報を出荷条件情報として予め記憶しておく出荷条件情報記憶部と、
前記納入情報、前記注文情報、前記購入依頼情報および前記出荷条件情報に基づいて、前記商品供給者から前記商品を納入した際に納入した商品を前記商品倉庫へ入庫させるか、入庫させることなく出庫させて前記商品購入者へ送るかを判断する入出庫判断部と、
前記入出庫判断部の判断結果に基づいて、前記納入した商品の入庫および出庫に関する指示情報を出力する指示情報出力部と、
を備え、
前記各購入依頼情報は前記商品購入者が前記商品を納入する日時に関する情報を含むとともに、前記出荷条件情報は前記商品購入者が前記商品を納入する納期の許容範囲を指定する納期期間情報を含み、
前記入出庫判断部は、前記購入依頼情報および前記納期期間情報に基づいて、前記商品購入者が前記商品の納入を許容する日時の範囲を許容日時範囲として算出するとともに、前記許容日時範囲内に前記商品供給者からの前記商品を前記商品購入者へ納入できる判断した場合に前記商品供給者から納入した商品を入庫させることなく出庫させて前記商品購入者へ送ると判断することを特徴とする商品情報管理装置。
【請求項２】
前記出荷条件情報は、前記商品供給者から納入した商品または前記商品倉庫に入庫した商品を出庫して前記商品購入者へ前記商品を納入させるまでの期間に関する仕分期間情報を含むことを特徴とする請求項１に記載の商品情報管理装置。
【請求項３】
前記入出庫判断部は、前記商品倉庫へ入庫させると判断して入庫させた商品に対し、納入した商品を前記商品倉庫から出庫させて前記商品購入者へ送るかまたは入庫を継続させるかを所定のタイミングでさらに判断することを特徴とする請求項１または２に記載の商品情報管理装置。
【請求項４】
前記出荷条件情報記憶部は、前記出荷条件情報を前記商品購入者毎に記憶しておくことを特徴とする請求項１〜３のいずれか１つに記載の商品情報管理装置。
【請求項５】
前記出荷条件情報記憶部は、前記出荷条件情報を前記商品毎に記憶しておくことを特徴とする請求項１〜４のいずれか１つに記載の商品情報管理装置。
【請求項６】
前記出荷条件情報記憶部は、前記出荷条件情報の仕分期間情報を前記商品倉庫毎に記憶しておくことを特徴とする請求項２〜５のいずれか１つに記載の商品情報管理装置。
【請求項７】
各商品購入者からの商品購入の依頼に関する購入依頼情報を受け付けて所定の商品供給者へ商品を発注するとともに前記商品供給者から商品を納入し、納入した商品の商品倉庫への入庫および出庫に関する情報を管理しながら前記商品購入者へ所定の商品を送る商品管理システムにおいて、
前記商品倉庫への商品の入庫および出庫に関する情報を管理する商品情報管理装置を備え、
前記商品情報管理装置は、
前記各商品購入者からの前記購入依頼情報を入力する購入依頼情報入力部と、
前記購入依頼情報入力部に入力された購入依頼情報、および前記購入依頼情報に基づいて所定の商品供給者へ行う前記商品の注文に関する注文情報を前記購入依頼情報と対応付けて記憶する受発注情報記憶部と、
前記商品供給者から前記商品を納入する際に、前記商品供給者から送られる前記商品の納入に関する納入情報を入力する納入情報入力部と、
商品の入庫および出庫の許容期間に関する情報を出荷条件情報として予め記憶しておく出荷条件情報記憶部と、
前記納入情報、前記注文情報、前記購入依頼情報および前記出荷条件情報に基づいて、前記商品供給者から前記商品を納入した際に納入した商品を前記商品倉庫へ入庫させるか、入庫させることなく出庫させて前記商品購入者へ送るかを判断する入出庫判断部と、
前記入出庫判断部の判断結果に基づいて、前記納入した商品の入庫および出庫に関する指示情報を出力する指示情報出力部と、
を有し、
前記各購入依頼情報は前記商品購入者が前記商品を納入する日時に関する情報を含むとともに、前記出荷条件情報は前記商品購入者が前記商品を納入する納期の許容範囲を指定する納期期間情報を含み、
前記入出庫判断部は、前記購入依頼情報および前記納期期間情報に基づいて、前記商品購入者が前記商品の納入を許容する日時の範囲を許容日時範囲として算出するとともに、前記許容日時範囲内に前記商品供給者からの前記商品を前記商品購入者へ納入できる判断した場合に前記商品供給者から納入した商品を入庫させることなく出庫させて前記商品購入者へ送ると判断することを特徴とする商品管理システム。
【発明の詳細な説明】
【技術分野】
【０００１】
本発明は、商品倉庫への商品の入庫および出庫を管理する商品情報管理装置および商品管理システムに関するものである。
【背景技術】
【０００２】
近年の物流産業の発達に伴い、商品の受発注や保管を効率よく行うことが望まれている。例えば、商品の購入者から商品購入の依頼（受注）を受け付けた後、商品購入の依頼に基づいて取引先のメーカ等から商品を納入（発注）して商品倉庫に保管（入庫）し、商品購入者が商品の購入を要求する日時に倉庫内の商品を購入者へ配送（出庫）するシステムがある。このようなシステムにおいては、商品の受発注や納入を集中化（集中購買）することによって購入者側の価格差是正、単価引き下げ、調達業務の省力化等を実現している。しかしながら、商品の納入が集中化されることによって商品倉庫における商品の入出庫管理業務の負担が増大するため、商品の集中購買を効率よく行う必要がある。
【０００３】
特許文献１に記載の商品受注及び配送システムは、ユーザからファクシミリ，電話，電子メールのいずれかにて送信された、ユーザ情報と、商品発注情報及び／又はサポート依頼情報とを含む購入依頼情報を受け付けるための受注システムと、ユーザと販売業者とで決定した商品、又は該商品及びサポートの対価をユーザの個人情報と共に登録したユーザ情報データベースを有する業務管理システムと、前記受注システムで受け付けられた購入依頼情報を集約し、且つ前記購入依頼情報に基づいて受注処理を行うＯ／Ｅシステムと、該Ｏ／Ｅシステムにおける受注処理に基づいて前記業務管理システムに登録した情報を参照し商品の配送及び／又はサポートを行う商品配送システムと、を有している。
【０００４】
そして、この商品受注及び配送システムは、在庫情報を管理する在庫データベースと、該在庫データベースの在庫情報に基づいて注文商品の在庫があるかを確認する在庫確認手段と、該在庫確認手段による在庫の確認結果及び前記購入依頼情報によって該購入依頼情報に含まれる商品の配送日を決定する配送日決定手段と、前記購入依頼情報と共に前記配送日決定手段によって決定された配送日を、受注確認として自動的にファクシミリ或いは電子メールにてユーザに送信する受注確認情報送信手段と、を有し、前記商品配送指示手段は、前記配送日決定手段によって決定された配送日に商品を配送するよう指示している。
【０００５】
また、特許文献２に記載の受発注委託管理システムは、インターネットに接続した中央処理装置及び記憶装置を有し、インターネット上に開設したウェブページを介して需要者との間で商品に関する情報を交換するウェブサーバセンターと、中央処理装置及び商品の出荷状況に関する情報を格納した記憶装置を有し、商品を保管、出荷する物流システムセンターと、中央処理装置及び需要者に関する情報を保存した利用者マスタ、商品の内容に関する情報を保存した商品マスタ、商品の在庫状況に関する情報を保存した在庫テーブル、商品の発注に関する情報を保存した発注テーブルを格納した記憶装置を有し、通信回線を介して前記ウェブサーバセンターとの間で商品に関する各種情報を交換し、通信回線を介して前記物流システムセンターに商品の出荷指示を送るとともに出荷状況に関する情報を受け、通信回線を介して委託者に商品に関する情報及び需要者に関する情報を提供する情報システムセンターと、から受発注委託管理システムを構成している。
【０００６】
【特許文献１】特開２００２−１７５４５３号公報
【特許文献２】特開２０００−２４２７２１号公報
【発明の開示】
【発明が解決しようとする課題】
【０００７】
しかしながら、上記前者および後者の従来技術では、商品を納入した際に商品の入庫、保管（在庫）、出庫といった一連の入出庫保管作業を必ず行う必要があり、商品の入出庫保管作業を効率よく行うことができないといった問題があった。
【０００８】
本発明は、上記に鑑みてなされたものであって、商品の入出庫保管作業を効率よく行うことが可能な商品情報管理装置および商品管理システムを得ることを目的とする。
【課題を解決するための手段】
【０００９】
上述した課題を解決し、目的を達成するために、本発明は、商品倉庫への商品の入庫および出庫に関する情報を管理して、各商品の入庫および出庫に関する指示を行う商品情報管理装置において、各商品購入者からの商品購入の依頼に関する購入依頼情報を入力する購入依頼情報入力部と、前記購入依頼情報入力部に入力された購入依頼情報、および前記購入依頼情報に基づいて所定の商品供給者へ行う前記商品の注文に関する注文情報を前記購入依頼情報と対応付けて記憶する受発注情報記憶部と、前記商品供給者から前記商品を納入する際に、前記商品供給者から送られる前記商品の納入に関する納入情報を入力する納入情報入力部と、商品の入庫および出庫の許容期間に関する情報を出荷条件情報として予め記憶しておく出荷条件情報記憶部と、前記納入情報、前記注文情報、前記購入依頼情報および前記出荷条件情報に基づいて、前記商品供給者から前記商品を納入した際に納入した商品を前記商品倉庫へ入庫させるか、入庫させることなく出庫させて前記商品購入者へ送るかを判断する入出庫判断部と、前記入出庫判断部の判断結果に基づいて、前記納入した商品の入庫および出庫に関する指示情報を出力する指示情報出力部と、を備え、前記各購入依頼情報は前記商品購入者が前記商品を納入する日時に関する情報を含むとともに、前記出荷条件情報は前記商品購入者が前記商品を納入する納期の許容範囲を指定する納期期間情報を含み、前記入出庫判断部は、前記購入依頼情報および前記納期期間情報に基づいて、前記商品供給者が前記商品の納入を許容する日時の範囲を許容日時範囲として算出するとともに、前記許容日時範囲内に前記商品供給者からの前記商品を前記商品購入者へ納入できる判断した場合に前記商品供給者から納入した商品を入庫させることなく出庫させて前記商品購入者へ送ると判断することを特徴とする。
【００１０】
この発明によれば、商品供給者が商品の納入を許容する許容日時範囲内に商品供給者からの商品を商品購入者へ納入できる判断した場合に、商品供給者から納入した商品を商品倉庫へ入庫させることなく出庫させることが可能となる。
【発明の効果】
【００１１】
この発明によれば、そのまま出庫可能な商品は商品を商品倉庫へ入庫させることなくそのまま商品購入者へ配送することが可能となり、商品の入出庫保管作業を効率よく行うことが可能になるという効果を奏する。
【発明を実施するための最良の形態】
【００１２】
以下に、本発明にかかる商品情報管理装置および商品管理システムの実施の形態を図面に基づいて詳細に説明する。なお、この実施の形態によりこの発明が限定されるものではない。
【００１３】
実施の形態
図１は、本発明にかかる商品管理システムの実施の形態のシステム構成を示す図である。商品管理システム１００は、商品の受発注や納入を集中化（一貫集中購買）して行うとともに、商品の受発注、入出庫、保管、在庫管理、物流の管理等を行うシステムである。
【００１４】
商品管理システム１００は、商品の購入を行う複数の商品購入者２、商品の供給者である複数のメーカ３、各メーカ３から納入する商品を保管する倉庫４、各メーカ３から納入した商品の管理を行う商品情報管理装置１０からなる。商品購入者２は、商品を購入する会社や個人等の顧客であり、商品の購入依頼等に関する情報（後述する購入依頼情報５３）を商品情報管理装置１０に送る。
【００１５】
商品情報管理装置１０は、商品購入者２からの購入依頼情報５３を入力（受注）し、購入依頼情報５３に基づいた商品の注文（発注）をメーカ３に行うパーソナルコンピュータ等の装置である。商品購入者２からの購入依頼情報５３は、インターネット等の通信ネットワーク（図示せず）や所定の専用通信回線（ＥＤＩ（Electronic Data Interchange）等）を介して商品情報管理装置１０に入力してもよいし、商品情報管理装置１０の使用者等を介して商品情報管理装置１０に入力することとしてもよい。
【００１６】
商品情報管理装置１０の使用者等を介して商品情報管理装置１０に購入依頼情報５３を入力する場合、商品購入者２は、伝票等に記載した購入依頼情報５３を商品情報管理装置１０の使用者等に送り、商品情報管理装置１０の使用者等が購入依頼情報５３に基づいて商品情報管理装置１０にデータ入力等を行う。
【００１７】
また、商品情報管理装置１０からメーカ３への商品の注文（注文情報）は、インターネット等の通信ネットワーク（図示せず）や所定の専用回線（ＥＤＩ等）を介して行ってもよいし、伝票等に記載した商品の注文に関する情報をメーカ３に送付することによって行ってもよい。
【００１８】
商品情報管理装置１０は、商品購入者２からの購入依頼情報５３、注文情報、商品の出庫や入庫の判定を行うための情報（後述する出荷条件情報５１Ａ，５１Ｂ）等を所定の記憶手段（後述する受発注情報記憶部１３）に記憶しておく。商品情報管理装置１０は、メーカ３から商品を受け取ると、メーカ３からの商品に貼り付け等されている納品書等（後述する納品情報）、購入依頼情報５３、出荷条件情報５１Ａ，５１Ｂ等に基づいて、メーカ３から納入した商品を倉庫４へ保管（入庫）させるか、入庫させることなく出庫させて商品購入者２へ配送するか等の判断を行うとともに、入庫および出庫に関する指示情報を出力する。
【００１９】
メーカ３は、商品情報管理装置１０から送られる商品の発注（注文情報）に基づいて、所定の商品を商品情報管理装置１０の使用者（倉庫４）へ配送する。このとき、メーカ３は配送する商品に応じた商品の納品に関する納品情報を商品情報管理装置１０の使用者へ送る。
【００２０】
倉庫４は、メーカ３から配送される商品を格納する商品倉庫である。倉庫４へは、メーカ３から商品情報管理装置１０の使用者側へ商品が配送された場合であって、商品情報管理装置１０がメーカ３から納入した商品を倉庫４へ保管させると判断した場合にメーカ３からの商品を格納する。倉庫４に格納された商品は購入依頼情報５３、出荷条件情報５１Ａ，５１Ｂ等に基づいて、所定のタイミングで商品購入者２に配送される。
【００２１】
つぎに、商品情報管理装置１０の構成について説明する。図２は、商品情報管理装置の構成を示すブロック図である。商品情報管理装置１０は、購入依頼情報入力部１１、注文情報出力部１２、受発注情報記憶部１３、出荷条件情報記憶部１４、納入情報入力部１５、入出庫判断部１６、指示情報出力部１７、制御部１９からなる。
【００２２】
購入依頼情報入力部１１は、各商品購入者２からの購入依頼情報５３を入力する。購入依頼情報入力部１１への購入依頼情報５３の入力を通信回線等を介して行う場合、商品購入者２から購入依頼情報５３を受信することによって購入依頼情報５３の入力を行う。また、購入依頼情報入力部１１への購入依頼情報５３の入力を商品情報管理装置１０の使用者等が行う場合、商品情報管理装置１０の使用者等は商品購入者２から送られる購入依頼情報５３を電話、ＦＡＸ、郵送等の手段によって受け取り、受け取った購入依頼情報５３をマウスやキーボード（図示せず）等を介して入力する。
【００２３】
注文情報出力部１２は、商品購入者２からの購入依頼情報５３に基づいた商品の注文情報を出力し、商品の注文を各メーカ３に行う。メーカ３への注文情報の出力を通信回線等を介して行う場合、注文情報出力部１２からメーカ３へ注文情報を送信することによって注文情報の出力を行う。また、メーカ３への注文情報の出力を、商品情報管理装置１０の使用者等が行う場合、商品情報管理装置１０の使用者等は注文情報を電話、ＦＡＸ、郵送等の手段によってメーカ３に送る。
【００２４】
受発注情報記憶部１３は、購入依頼情報入力部１１に入力された購入依頼情報５３や注文情報出力部１２がメーカ３へ出力した注文情報を記憶する。出荷条件情報記憶部１４は、メーカ３から納入した商品を倉庫４へ保管させるか、入庫させることなく出庫させて商品購入者２へ配送するかを判断するための出荷条件情報５１Ａ，５１Ｂを記憶しておく。
【００２５】
納入情報入力部１５は、各メーカ３から商品が配送される際に送られる納入情報を入力する。各メーカ３からの納入情報は、インターネット等の通信ネットワーク（図示せず）や所定の専用通信回線（ＥＤＩ等）を介して商品情報管理装置１０に入力してもよいし、商品情報管理装置１０の使用者等を介して商品情報管理装置１０に入力することとしてもよい。
【００２６】
商品情報管理装置１０の使用者等を介して商品情報管理装置１０に納入情報を入力する場合、メーカ３は、伝票等に記載した納入情報を商品情報管理装置１０の使用者等に送り、商品情報管理装置１０の使用者等が納入情報に基づいて商品情報管理装置１０にデータ入力等を行う。
【００２７】
入出庫判断部１６は、納入情報入力部１５に入力された納入情報、受発注情報記憶部１３に記憶されている購入依頼情報５３や納入情報、出荷条件情報記憶部１４に記憶されている出荷条件情報５１Ａ，５１Ｂに基づいて、いずれのタイミングでメーカ３からの商品を商品購入者２へ配送するかを判断する。例えば、入出庫判断部１６はメーカ３から納入した商品を倉庫４へ保管させるか、入庫させることなく出庫させて商品購入者２へ配送するか否かの判断や、過去にメーカ３から納入して倉庫４へ保管させておいた商品を商品購入者２へ配送（出庫）するタイミングを判断する。
【００２８】
指示情報出力部１７は、入出庫判断部１６の判断結果を、入庫および出庫に関する指示情報として出力する。指示情報出力部１７は、指示情報を表示するディスプレイ画面等の情報表示手段や指示情報を音声出力するスピーカ等の音声出力手段等を備えて構成され、これらの情報表示手段や音声出力手段を介して指示情報を出力する。
【００２９】
制御部１９は、購入依頼情報入力部１１、注文情報出力部１２、受発注情報記憶部１３、出荷条件情報記憶部１４、納入情報入力部１５、入出庫判断部１６、指示情報出力部１７を制御する。
【００３０】
つぎに、商品情報管理装置１０の処理手順について説明する。図３は、商品情報管理装置の動作手順を示すフローチャートである。商品情報管理装置１０の出荷条件情報記憶部１４へ、メーカ３から納入した商品を倉庫４へ保管させるか、入庫させることなく出庫させて商品購入者２へ配送するかを判断等するための出荷条件情報５１Ａ，５１Ｂを予め記憶（登録）させておく（ステップＳ１００）。
【００３１】
ここで、出荷条件情報５１Ａ，５１Ｂの構成を説明する。図４−１および図４−２は、出荷条件情報の構成の一例を示す図である。図４−１の出荷条件情報５１Ａは、各倉庫４に割り当てられる倉庫４に関する情報（「商品倉庫コード」）を示し、図４−２の出荷条件情報５１Ｂは、各商品購入者２に割り当てられる商品購入者２に関する情報（「購入側コード」）を示している。
【００３２】
出荷条件情報５１Ａ（「商品倉庫コード」）は、倉庫４から商品を出庫（検品）して商品購入者２へ配送が完了するまでの日数に関する情報（「仕分日数」（仕分期間情報））を含んでいる。「仕分日数」は、倉庫４毎に設定されている。
【００３３】
出荷条件情報５１Ｂ（「購入側コード」）は、商品購入者２が許容する商品納入（倉庫４側から商品購入者２側への配送）の日時（許容日時の範囲）に関する情報（「過早納入許容日数」（納期期間情報））を含んでいる。「過早納入許容日数」は商品購入者２毎に設定されている。
【００３４】
例えば、商品購入者２への商品の納入期限が１２月１４日であって「過早納入許容日数」が７日である場合、商品購入者２へは１２月７日から１２月１４日の範囲内で商品を納入させてもよい。すなわち、商品購入者２が「過早納入許容日数」を７日と設定した場合、商品の納入期限から７日前までの範囲で、商品購入者２へ商品を納入（商品の到着）させてもよい。
【００３５】
ここでの「過早納入許容日数」は、商品購入者２が商品を受け取ることを許容する日時（商品の受け入れ可能な日時）であるため、許容日時より早く倉庫４から出庫してもよい。具体的には、商品の出庫から配送までの日数（仕分日数）が１日の場合、１２月６日に商品の出庫作業を開始してもよい。
【００３６】
商品購入者２は、購入したい商品に応じた購入依頼情報５３を商品情報管理装置１０に送る。ここで、購入依頼情報５３の構成を説明する。図４−３は、購入依頼情報構成の一例を示す図である。購入依頼情報５３は、商品の「受注番号」、商品の「発注番号」、「購入側コード」、「注文商品」、商品の「注文数量」、商品の「注文納期」等を含んで構成される。
【００３７】
「受注番号」は、商品購入者２から購入依頼情報５３を受け取って購入依頼情報５３入力する際に、設定される商品の受注に関する情報（番号）である。したがって、商品購入者２が商品を発注する際には購入依頼情報５３に「受注番号」の情報は含まれていない。「発注番号」は、商品購入者２が商品を発注する際に設定する商品の発注に関する情報（番号）である。
【００３８】
「購入側コード」は、各商品購入者２に割り当てられる商品購入者２に関する情報（コード）である。本実施の形態においては、「購入側コード」に基づいて、この「購入側コード」に対応する出荷条件情報５１Ｂが出荷条件情報記憶部１４から抽出される。
【００３９】
「注文商品」は、注文する商品を識別するための識別番号、商品名等である。「注文数量」は、注文する商品の数量等を示す情報である。「注文納期」は、注文する商品の納期（期限）を示す情報である。
【００４０】
購入依頼情報入力部１１は、商品購入者２からの購入依頼情報５３を入力する。購入依頼情報入力部１１への購入依頼情報５３の入力は、例えば商品購入者２から購入依頼情報５３を通信回線等を介して受信することによって行う。
【００４１】
注文情報出力部１２は、商品購入者２からの購入依頼情報５３に基づいた商品の注文情報を出力し、商品の注文を各メーカ３に行う。注文情報出力部１２は、例えば通信回線等を介してメーカ３へ注文情報を送信する。
【００４２】
受発注情報記憶部１３は、購入依頼情報入力部１１に入力された購入依頼情報５３と注文情報出力部１２がメーカ３へ出力した注文情報を記憶しておく。ここでの受発注情報記憶部１３は、購入依頼情報５３と注文情報とを対応付けて記憶しておく。また、注文情報には所定の発注番号を含めておく。
【００４３】
メーカ３は、商品情報管理装置１０から送られる商品の注文情報に基づいて、所定の商品を倉庫４へ配送する。このとき、メーカ３は配送する商品に応じた商品の納品に関する納品情報を商品情報管理装置１０の使用者へ送付する。ここでの納入情報には注文情報に含まれていた発注番号を含めておく。
【００４４】
メーカ３からの商品が倉庫４に届けられると、納入情報入力部１５はメーカ３から商品が配送される際に送られた納入情報を入力し、商品の納入処理を行う（ステップＳ１０５）。メーカ３からの納入情報は、例えば所定の専用通信回線を介して納入情報入力部１５に入力される。
【００４５】
入出庫判断部１６は、納入情報入力部１５に入力された納入情報に基づいて、メーカ３からの商品に対応する購入依頼情報５３、注文情報を受発注情報記憶部１３から抽出する（ステップＳ１１０）。ここでの入出庫判断部１６は、例えば納入情報に含まれる商品の発注番号と同じ発注番号を有する注文情報を受発注情報記憶部１３から抽出する。そして、抽出した注文情報に対応する購入依頼情報５３を受発注情報記憶部１３から抽出する。
【００４６】
入出庫判断部１６は、メーカ３からの商品に対応する購入依頼情報５３、注文情報が受発注情報記憶部１３に記憶されているか否か（該当データがあるか否か）を判断する（ステップＳ１２０）。
【００４７】
入出庫判断部１６が、メーカ３からの商品に対応する購入依頼情報５３や注文情報が受発注情報記憶部１３に記憶されていないと判断すると（ステップＳ１２０、Ｎｏ）、未発注の商品がメーカ３から納入されているため納入処理エラーと判断して、商品の納入処理を終了する（ステップＳ１３０）。
【００４８】
一方、入出庫判断部１６が、メーカ３からの商品に対応する購入依頼情報５３や注文情報が受発注情報記憶部１３に記憶されていると判断した場合（ステップＳ１２０、Ｙｅｓ）、入出庫判断部１６は納入情報に基づいて、メーカ３からの商品を格納する予定の倉庫４に対応する出荷条件情報５１Ａを出荷条件情報記憶部１４から抽出する（ステップＳ１４０）。ここでの入出庫判断部１６は、例えば商品を格納する予定の倉庫４に対応する「商品倉庫コード」の「仕分日数」を出荷条件情報記憶部１４から抽出する。
【００４９】
入出庫判断部１６は、メーカ３からの商品に対応する出荷条件情報５１Ａ（「仕分日数」）が出荷条件情報記憶部１４に記憶されているか否か（該当データがあるか否か）を判断する（ステップＳ１５０）。
【００５０】
入出庫判断部１６が、メーカ３からの商品を格納する予定の倉庫４に対応する「仕分日数」が出荷条件情報記憶部１４に記憶されていないと判断すると（ステップＳ１５０、Ｎｏ）、出荷条件情報５１Ａの設定不備であるため納入処理エラーと判断する。そして、入出庫判断部１６は入出庫判断部１６または出荷条件情報記憶部１４に予め設定しておいた「仕分日数」の初期値（デフォルト値）（例えば１日）を、メーカ３からの商品を格納する予定の倉庫４に対応する「仕分日数」として抽出する（ステップＳ１６０）。
【００５１】
一方、入出庫判断部１６がメーカ３からの商品を格納する予定の倉庫４に対応する「仕分日数」が出荷条件情報記憶部１４に記憶されていると判断した場合（ステップＳ１５０、Ｙｅｓ）、入出庫判断部１６はメーカ３からの商品を格納する予定の倉庫４に対応する「仕分日数」を出荷条件情報記憶部１４から抽出する。入出庫判断部１６が「仕分日数」または「仕分日数」の初期値を抽出すると、入出庫判断部１６はメーカ３からの商品を配送する予定の商品購入者２に対応する出荷条件情報５１Ｂを出荷条件情報記憶部１４から抽出する（ステップＳ１７０）。ここでの入出庫判断部１６は、納入情報に対応する購入依頼情報５３に含まれる「購入側コード」に基づいて、「購入側コード」に対応する「過早納入許容日数」を出荷条件情報記憶部１４から抽出する。
【００５２】
入出庫判断部１６は、メーカ３からの商品を配送する予定の商品購入者２「購入側コード」に対応する出荷条件情報５１Ｂ（「過早納入許容日数」）が出荷条件情報記憶部１４に記憶されているか否か（該当データがあるか否か）を判断する（ステップＳ１８０）。
【００５３】
入出庫判断部１６が、商品購入者２に対応する出荷条件情報５１Ｂが出荷条件情報記憶部１４に記憶されていると判断すると（ステップＳ１８０、Ｙｅｓ）、出荷条件情報記憶部１４に予め設定しておいた「過早納入許容日数」を、メーカ３からの商品を配送する予定の商品購入者２の「過早納入許容日数」として抽出する。一方、入出庫判断部１６が、商品購入者２に対応する出荷条件情報５１Ｂが出荷条件情報記憶部１４に記憶されていないと判断すると（ステップＳ１８０、Ｎｏ）、入出庫判断部１６または出荷条件情報記憶部１４に予め設定しておいた「過早納入許容日数」の初期値（例えば１日）を、メーカ３からの商品を配送する予定の商品購入者２の「過早納入許容日数」として抽出する（ステップＳ１９０）。また、入出庫判断部１６は、納入情報に基づいて抽出した購入依頼情報５３から商品購入者２への商品の納入期限を抽出しておく。
【００５４】
入出庫判断部１６は、抽出した商品購入者２への商品の納入期限、「仕分日数」、「過早納入許容日数」に基づいて、商品購入者２へ商品を納入させることが可能な日時の範囲（過早納入許容範囲（許容日時範囲））を算出する（ステップＳ２００）。例えば、商品の納入期限が１月１４日であって、「仕分日数」が１日、「過早納入許容日数」が７日である場合、過早納入許容範囲は１月６日から１月１４日となる。
【００５５】
入出庫判断部１６は、現時点（商品の納入の時点）の日時が過早納入許容範囲に範囲内であるか否かを判断する（ステップＳ２１０）。入出庫判断部１６が、現時点の日時が過早納入許容範囲に範囲内でないと判断すると（ステップＳ２１０、Ｎｏ）、商品の出庫不可と判断する（ステップＳ２２０）。例えば、現時点が１月３日であり過早納入許容範囲が１月６日から１月１４日の場合、入出庫判断部１６は商品の出庫不可と判断する。そして、指示情報出力部１７は、入出庫判断部１６の判断結果（出庫不可）を指示情報として出力し、商品を倉庫４の所定の位置へ入庫させる。
【００５６】
一方、入出庫判断部１６が、現時点の日時が過早納入許容範囲に範囲内であると判断すると（ステップＳ２１０、Ｙｅｓ）、商品の出庫可と判断する（ステップＳ２３０）。例えば、現時点が１月１０日であり過早納入許容範囲が１月６日から１月１４日の場合、入出庫判断部１６は商品の出庫可と判断する。そして、指示情報出力部１７は、入出庫判断部１６の判断結果（出庫可）を指示情報として出力し、商品を倉庫４へ入庫させることなく、そのまま商品購入者へ配送（出庫）する。
【００５７】
つぎに、入出庫判断部１６が商品の出庫不可と判断して、商品を倉庫４の所定の位置へ入庫させた場合の商品の出庫処理について説明する。入出庫判断部１６が商品の出庫不可と判断して商品を倉庫４の所定の位置へ入庫させる際、入出庫判断部１６が算出した過早納入許容範囲を所定の記憶装置（図示せず）に記憶しておく。
【００５８】
入出庫判断部１６は、所定のタイミング（例えば１日１回）で、倉庫４内に格納されている商品の過早納入許容範囲を確認する。そして、倉庫４内の商品が現時点（過早納入許容範囲を確認した時点）において過早納入許容範囲であると入出庫判断部１６が判断すると、指示情報出力部１７は入出庫判断部１６の判断結果（出庫可）を指示情報として出力し、商品を出庫して商品購入者２へ配送する。なお、入出庫判断部１６は倉庫４内に格納されている商品が過早納入許容範囲内となった時点で、指示情報出力部１７に判断結果（出庫可）を指示情報として出力させてもよい。
【００５９】
なお、図１においては、商品管理システム１００において商品情報管理装置１０が１つの倉庫４に対して商品の入出庫に関する指示情報を出力する場合を示しているが、商品情報管理装置１０は複数の倉庫４に対して商品の入出庫に関する指示情報を出力してもよい。この場合、出荷条件情報記憶部１４に倉庫４毎の出荷条件情報５１Ａを予め記憶させておく。そして、入出庫判断部１６はメーカ３から配送されてくる商品に対して、倉庫４毎に入出庫の判断を行う。
【００６０】
なお、本実施の形態においては、「仕分日数」を日にちの単位で登録することとしたが、「仕分日数」は日にちに限られず時間や分単位で登録することとしてもよい。また、本実施の形態においては、「仕分日数」を倉庫４毎に設定することとしたが、「仕分日数」は商品購入者２毎、商品毎、各倉庫４内の商品毎に設定してもよい。「仕分日数」を商品購入者２毎に設定する場合、出荷条件情報５１Ａおよび購入依頼情報５３に商品購入者を識別する情報（「購入者側コード」）を含ませておく。そして、入出庫判断部１６は購入依頼情報５３内の「購入者側コード」に基づいて、出荷条件情報５１Ａ内の「仕分日数」を抽出する。また、「仕分日数」を商品毎に設定する場合、出荷条件情報５１Ａおよび購入依頼情報５３に商品を識別する情報（商品識別情報）を含ませておく。そして、入出庫判断部１６は購入依頼情報５３内の商品識別情報に基づいて、出荷条件情報５１Ａ内の「仕分日数」を抽出する。
【００６１】
また、本実施の形態においては、「過早納入許容日数」を商品購入者２毎に設定することとしたが、「過早納入許容日数」は商品毎や商品購入者２が注文する商品毎に設定してもよい。「過早納入許容日数」を商品毎に設定する場合、出荷条件情報５１Ｂおよび購入依頼情報５３に商品を識別する情報（商品識別情報）を含ませておく。そして、入出庫判断部１６は購入依頼情報５３内の商品識別情報に基づいて、出荷条件情報５１Ｂ内の「過早納入許容日数」を抽出する。
【００６２】
また、本実施の形態においては、入出庫判断部１６が、現時点の日時が過早納入許容範囲に範囲内であると判断した場合に商品の出庫可と判断することとしたが、現時点の日時が過早納入許容範囲を過ぎていると判断した場合にも商品の出庫可と判断してもよい。
【００６３】
このように、本実施の形態によれば、メーカ３から商品が納入された際、予め設定しておいた出荷条件情報５１Ａ，５１Ｂに基づいて、納入された商品の入出庫の可否を判断するので、そのまま出庫可能な商品は商品を倉庫４へ入庫させることなくそのまま商品購入者へ配送することが可能となり、商品の入庫、保管（在庫）、出庫といった一連の入出庫保管作業の作業期間を短縮化することが可能となる。したがって、商品の納入が集中化する場合であっても商品の入出庫保管作業を効率よく行うことが可能となる。
【産業上の利用可能性】
【００６４】
以上のように、本発明にかかる商品情報管理装置および商品管理システムは、商品の納入が集中化する場合の商品の入出庫管理に適している。
【図面の簡単な説明】
【００６５】
【図１】本発明にかかる商品管理システムの実施の形態のシステム構成を示す図である。
【図２】商品情報管理装置の構成を示すブロック図である。
【図３】商品情報管理装置の動作手順を示すフローチャートである。
【図４−１】出荷条件情報（仕分日数）の構成の一例を示す図である。
【図４−２】出荷条件情報（過早納入許容日数）の構成の一例を示す図である。
【図４−３】購入依頼情報構成の一例を示す図である。
【符号の説明】
【００６６】
２  商品購入者
３  メーカ
４  倉庫
１０  商品情報管理装置
１１  購入依頼情報入力部
１２  注文情報出力部
１３  受発注情報記憶部
１４  出荷条件情報記憶部
１５  納入情報入力部
１６  入出庫判断部
１７  指示情報出力部
１９  制御部
５１Ａ，５１Ｂ  出荷条件情報
５３  購入依頼情報
１００  商品管理システム
【図１】
2006225084.tif 000003
【図２】
2006225084.tif 000004
【図３】
2006225084.tif 000005
【図４−１】
2006225084.tif 000006
【図４−２】
2006225084.tif 000007
【図４−３】
2006225084.tif 000008